【手続補正書】
【提出日】平成28年1月18日(2016.1.18)
【手続補正１】
【補正対象書類名】特許請求の範囲
【補正対象項目名】全文
【補正方法】変更
【補正の内容】
【特許請求の範囲】
【請求項１】
ヘッドを用いて、データを一時的に記録するためのキャッシュ領域と、
このキャッシュ領域の内径側に位置し、前記ヘッドを用いて、第１の幅を有するトラック領域にデータを記録し、前記ヘッドを用いて、前記第１の幅を有し、かつ、前記トラック領域に一部重複するトラック領域にデータを記録する記録方式を用いてデータを記録するための複数のトラック領域を備える第１のバンド領域と、
前記第１のバンド領域の内径側であって、前記第１のバンド領域と重複しない領域に位置し、前記記録方式を用いてデータを記録するための複数のトラック領域を備える第２のバンド領域と、
を備えるハードディスクにデータを記録する方法であって、
前記キャッシュ領域は、前記第１のバンド領域の容量よりも大きく、かつ前記第２のバンド領域の容量よりも大きい容量を備え、かつ、前記ハードディスクの最外周の記憶領域であって、
第１のアドレス情報を含む第１のライトコマンドを受け取り、
前記第１のライトコマンドにかかる第１のデータを受け取り、
シーケンシャルライトではない場合に、前記第１のデータを前記キャッシュ領域に記録し、
第２のアドレス情報を含む第２のライトコマンドを受け取り、
前記第２のライトコマンドにかかる第２のデータを受け取り、
前記シーケンシャルライトの場合に、前記第２のデータを前記第１のバンド領域に記録し、前記第２のデータを前記第１のバンド領域に記録した後に、前記キャッシュ領域に記録された前記第１のデータを、前記第２のバンド領域に記録する方法。
【請求項２】
前記シーケンシャルライトの場合に、前記第２のデータを前記第１のバンド領域に記録可能ではない場合は、前記第２のデータの一部を前記キャッシュ領域に記録し、その後、前記キャッシュ領域に記録された前記２のデータを前記第２のバンドに領域に記録することをさらに具備する請求項１記載の方法。
【請求項３】
前記キャッシュ領域は、不揮発性のキャッシュ領域である請求項１または請求項２記載の方法。
【請求項４】
ヘッドと、
前記ヘッドを用いて、データを一時的に記録するためのキャッシュ領域と、このキャッシュ領域の内径側に位置し、前記ヘッドを用いて、第１の幅を有するトラック領域にデータを記録し、前記ヘッドを用いて、前記第１の幅を有し、かつ、前記トラック領域に一部重複するトラック領域にデータを記録する記録方式を用いてデータを記録するための複数のトラック領域を備える第１のバンド領域と、前記第１のバンド領域の内径側であって、前記第１のバンド領域と重複しない領域に位置し、前記記録方式を用いてデータを記録するための複数のトラック領域を備える第２のバンド領域と、を含むディスクと、
を具備するディスク記憶装置であって、
前記キャッシュ領域は、前記第１のバンド領域の容量よりも大きく、かつ第２のバンド領域の容量よりも大きい容量を備え、かつ、前記ディスクの最外周の記憶領域であり、
第１のアドレス情報を含む第１のライトコマンドを受け取り、前記第１のライトコマンドにかかる第１のデータを受け取る第１手段と、
シーケンシャルライトではない場合に、前記第１のデータを前記キャッシュ領域に記録する第２手段と、
第２のアドレス情報を含む第２のライトコマンドを受け取り、前記第２のライトコマンドにかかる第２のデータを受け取る第３手段と、
前記シーケンシャルライトの場合に、前記第２のデータを前記第１のバンド領域に記録し、前記第２のデータを前記第１のバンド領域に記録した後に、前記キャッシュ領域に記録された前記第１のデータを、前記第２のバンド領域に記録する第４手段と、
をさらに具備するディスク記憶装置。
【請求項５】
前記シーケンシャルライトの場合に、前記第２のデータを前記第１のバンド領域に記録可能ではない場合は、前記第２のデータの一部を前記キャッシュ領域に記録し、その後、前記キャッシュ領域に記録された前記２のデータを前記第２のバンドに領域に記録する第５手段をさらに具備する請求項４記載のディスク記憶装置。
【請求項６】
前記キャッシュ領域は、不揮発性のキャッシュ領域である請求項４または請求項５記載のディスク記憶装置。
【請求項７】
ヘッドを用いて、データを一時的に記録するためのキャッシュ領域と、
前記キャッシュ領域の内径側に位置し、複数のトラック領域を備え、前記ヘッドを用いて、第１の幅を有するトラック領域にデータを記録し、前記ヘッドを用いて、前記第１の幅を有し、かつ、前記トラック領域に一部重複するトラック領域にデータを記録する記録方式を用いた記録単位を構成する第１のバンド領域と、
前記第１のバンド領域の内周側又は外周側に位置し、複数のトラック領域を備え、前記記録方式を用いた記録単位を構成する第２のバンド領域と、
を備えるハードディスクにデータを記録する方法であって、
前記キャッシュ領域は、前記第１のバンド領域の容量よりも大きく、かつ前記第２のバンド領域の容量よりも大きい容量を備え、かつ、前記ハードディスクの最外周の記憶領域であって、
連続しないアドレスへのライト要求がある第１のデータを前記キャッシュ領域に記録し、
連続するアドレスへのライト要求がある第２のデータを前記第１のバンド領域に記録し、
前記第１のバンド領域への前記第２のデータの記録後に、前記キャッシュ領域に記録された前記第１のデータを、前記第２のバンド領域に記録する方法。
【請求項８】
前記第２のデータを前記第１のバンド領域に記録可能ではない場合は、前記第２のデータの一部を前記キャッシュ領域に記録し、その後、前記キャッシュ領域に記録された前記２のデータを前記第２のバンドに領域に記録することをさらに具備する請求項７記載の方法。
【請求項９】
前記キャッシュ領域は、不揮発性のキャッシュ領域である請求項７または請求項８記載の方法。
【請求項１０】
ヘッドと、
前記ヘッドを用いて、データを一時的に記録するためのキャッシュ領域と、前記キャッシュ領域の内径側に位置し、複数のトラック領域を備え、前記ヘッドを用いて、第１の幅を有するトラック領域にデータを記録し、前記ヘッドを用いて、前記第１の幅を有し、かつ、前記トラック領域に一部重複するトラック領域にデータを記録する記録方式を用いた記録単位を構成する第１のバンド領域と、前記第１のバンド領域の内周側又は外周側に位置し、複数のトラック領域を備え、前記記録方式を用いた記録単位を構成する第２のバンド領域と、を含むディスクと、
を具備するディスク記憶装置であって、
前記キャッシュ領域は、前記第１のバンド領域の容量より大きく、かつ前記第２のバンド領域の容量よりも大きい容量を備え、かつ、前記ハードディスクの最外周の記憶領域であり、
連続しないアドレスへのライト要求がある第１のデータを前記キャッシュ領域に記録する第１手段と、
連続するアドレスへのライト要求がある第２のデータを前記第１のバンド領域に記録する第２手段と、
前記第１のバンド領域への前記第２のデータの記録後に、前記キャッシュ領域に記録された前記第１のデータを、前記第２のバンド領域に記録する第３手段と、
をさらに具備するディスク記憶装置。
【請求項１１】
前記第２のデータを前記第１のバンド領域に記録可能ではない場合は、前記第２のデータの一部を前記キャッシュ領域に記録し、その後、前記キャッシュ領域に記録された前記２のデータを前記第２のバンドに領域に記録する第４手段をさらに具備する請求項１０記載のディスク記憶装置。
【請求項１２】
前記キャッシュ領域は、不揮発性のキャッシュ領域である請求項１０または請求項１１記載のディスク記憶装置。
【請求項１３】
連続的データの一部を一時的に格納する不揮発性のキャッシュ領域を含む記憶手段と、
前記キャッシュ領域とは異なるディスク上の記録領域に前記連続的データをシングルドライトにより書き込む書き込み手段と、
前記一部のデータを前記キャッシュ領域に書き込み、前記一部のデータの論理アドレスに対応し、前記ディスク上の記録領域に記録されたデータを無効化し、前記無効化されたデータが記録されている前記記録領域を新たなデータの記録が可能な更新用記録領域に設定する制御手段と
を具備するディスク記憶装置。
【請求項１４】
前記制御手段は、
前記ディスク上の記録領域の中で、前記論理アドレスが割り当てられていない予備記憶領域に前記連続的データの最初のデータを書き込み、
前記最初のデータに後続するデータを前記キャッシュ領域に書き込み、
前記後続するデータの論理アドレスに対応し、前記ディスク上の記録領域に記録されたデータを無効化し、前記無効化されたデータが記録されている前記ディスク上の記録領域を前記更新用記録領域として設定する請求項１３に記載のディスク記憶装置。
【請求項１５】
前記制御手段は、
前記設定した前記更新用記録領域に対して、前記連続的データの最初のデータまたは前記最初のデータに後続するデータを書き込む制御を実行する請求項１３または請求項１４に記載のディスク記憶装置。
【請求項１６】
前記制御手段は、
前記設定した更新用記録領域にデータを書き込みした後に、当該データの論理アドレスに対応し、前記ディスク上の記録領域に記録されたデータを無効化し、前記無効化されたデータが記録されている前記ディスク上の記録領域を新たな更新用記録領域として設定する請求項１３から請求項１５のいずれか１項に記載のディスク記憶装置。
【請求項１７】
前記制御手段は、
前記書き込み手段により連続的データではない個別データをディスク上に書き込む場合には、前記キャッシュ領域に前記個別データを書き込んだ後、前記キャッシュ領域から前記ディスク上の論理アドレスが割り当てられていない予備記憶領域に前記個別データを書き込む制御を実行する請求項１３から請求項１６のいずれか１項に記載のディスク記憶装置。
【請求項１８】
前記書き込み手段は、シングルドライトにより前記連続的データを前記ディスク上にバンド単位に書き込み、
前記制御手段は、
前記予備記憶領域であるスペアバンドに前記最初のデータを書き込み、
前記無効化されたデータが記録されているユーザバンドを前記更新用記録領域である無効バンドとして設定する請求項１４に記載のディスク記憶装置。
【請求項１９】
前記記憶手段の前記キャッシュ領域は、
前記ディスク上の指定の記録領域または不揮発性記憶メモリの記録領域である請求項１３から請求項１８のいずれか１項に記載のディスク記憶装置。
【請求項２０】
連続的データの一部を一時的に格納する不揮発性のキャッシュ領域を含む記憶手段、及び前記キャッシュ領域とは異なるディスク上の記録領域に前記連続的データをシングルドライトにより書き込む書き込み手段を有するディスク記憶装置に適用するデータ書き込み方法であって、
前記一部のデータを前記キャッシュ領域に書き込み、
前記一部のデータの論理アドレスに対応し、前記ディスク上の記録領域に記録されたデータを無効化し、
前記無効化されたデータが記録されている前記記録領域を新たなデータの記録が可能な更新用記録領域に設定するデータ書き込み方法。
【請求項２１】
前記ディスク上の記録領域の中で、前記論理アドレスが割り当てられていない予備記憶領域に前記連続的データの最初のデータを書き込み、
前記最初のデータに後続するデータを前記キャッシュ領域に書き込み、
前記後続するデータの論理アドレスに対応し、前記ディスク上の記録領域に記録されたデータを無効化し、
前記無効化されたデータが記録されている前記ディスク上の記録領域を前記更新用記録領域として設定する請求項２０に記載のデータ書き込み方法。